(57)【要約】【課題】バスバ同士を少ないスペースにおいて容易に電気接続することができ、容易に組み立てることができる電気接続箱を提供する。【解決手段】電気接続箱１０は、金属板で構成された複数のバスバ１〜４と、樹脂ブロック６の上面からボルト７の軸部７２が突出したボルトブロック８と、ボルトブロック８を収容可能な凹部９１が設けられたフレーム９と、を有している。第１のバスバ１及び第２のバスバ２は、ボルトブロック８に取り付けられている。これら第１のバスバ１と第２のバスバ２は、過電流が流れた際に溶断する溶断部５を介して電気接続されている。第３のバスバ３には、第２のバスバ２に弾性接触するバネ部３１が設けられている。第４のバスバ４には、第１のバスバ１に弾性接触するバネ部４１が設けられている。【選択図】図４
2013255347.tif 000002
【特許請求の範囲】
【請求項１】
金属板で構成されたバスバを複数有し、該複数のバスバが互いに電気接続された電気接続箱において、
少なくとも１つのバスバには、他の一のバスバに弾性接触するバネ部が設けられている
ことを特徴とする電気接続箱。
【請求項２】
樹脂ブロックの上面からボルトの軸部が突出したボルトブロックをさらに有し、
前記複数のバスバとして、前記ボルトブロックに取り付けられた第１のバスバを有し、
前記第１のバスバが、前記樹脂ブロックの上面に位置付けられ、前記ボルトとナットによって外部端子と共締めされる上面側接続部と、前記樹脂ブロックの一側面に位置付けられる側面側接続部と、を有している
ことを特徴とする請求項１に記載の電気接続箱。
【請求項３】
前記複数のバスバとして、前記ボルトブロックに取り付けられるとともに前記樹脂ブロックの他側面に位置付けられかつ前記第１のバスバに電気接続された第２のバスバと、該第２のバスバに電気接続される第３のバスバをさらに有し、
前記第１のバスバと前記第２のバスバが、過電流が流れた際に溶断する溶断部を介して電気接続されており、
前記第３のバスバが、前記第２のバスバに弾性接触する前記バネ部を有している
ことを特徴とする請求項２に記載の電気接続箱。
【請求項４】
前記複数のバスバとして、前記第１のバスバに電気接続される第４のバスバをさらに有し、該第４のバスバが、前記側面側接続部に弾性接触する前記バネ部を有し、
前記第１のバスバ及び前記第２のバスバが取り付けられた前記ボルトブロックが、前記第３のバスバの前記バネ部と前記第４のバスバの前記バネ部との間に挟持される
ことを特徴とする請求項３に記載の電気接続箱。
【請求項５】
前記ボルトブロックを収容可能な凹部が設けられたフレームをさらに有し、
前記第３のバスバの前記バネ部と前記第４のバスバの前記バネ部とが前記凹部の内側面に沿っている
ことを特徴とする請求項４に記載の電気接続箱。
【発明の詳細な説明】
【技術分野】
【０００１】
本発明は、金属板で構成されたバスバを複数有する電気接続箱に関するものである。
【背景技術】
【０００２】
自動車には多種多様な電子機器が搭載されている。これら多種多様な電子機器に電力供給や信号伝送を行うために、前記自動車には、電気接続箱が搭載されている。この電気接続箱は、様々な構成のものが用いられているが、例えば、図９に示す電気接続箱２１０のように、フレーム２０２と、フレーム２０２に組み付けられるバスバ２０５と、バスバ２０５と電源ケーブルの端末に接続された外部端子とを固定するためのボルトブロック２０１と、を有する構成のものが知られている（特許文献１を参照。）。
【０００３】
上記フレーム２０２には、リレーやヒューズが装着される複数の装着部２２２や、ボルトブロック２０１が取り付けられる開口部２２３などが設けられている。
【０００４】
上記ボルトブロック２０１は、軸部２４１及び頭部２４２を有するボルト２０４と、樹脂ブロック２０３と、を有している。樹脂ブロック２０３は、ボルト２０４の頭部２４２を取り付けた取付部材本体２３０と、フレーム２０２に係止する係止突起２３１と、を有している。
【０００５】
上記バスバ２０５は、金属板にプレス加工等が施されて得られる配線部材である。このバスバ２０５は、取付部材本体２３０の上面に重ねられる上面側接続部２５１と、リレーやヒューズと電気接続される複数の部品接続部２５６と、上面側接続部２５１と複数の部品接続部２５６とを連結し、複数箇所において折り曲げられた連結部２５７と、を一体に有している。また、前記上面側接続部２５１には、ボルト２０４の軸部２４１が通される貫通孔２５２が形成されている。
【０００６】
また、上記バスバ２０５及び上記ボルトブロック２０１は、図９中の一点鎖線矢印で示すように、下面側からフレーム２０２に組み付けられる。そして、バスバ２０５及びボルトブロック２０１がフレーム２０２に組み付けられた後に、電源ケーブルの端末に接続された外部端子が上面側接続部２５１に重ねられるとともに前記外部端子の貫通孔内に軸部２４１が通され、さらに軸部２４１にナットが螺合されることにより、外部端子と上面側接続部２５１とが固定されて互いに電気接続される。
【先行技術文献】
【特許文献】
【０００７】
【特許文献１】特開２０１１−２２３７７７号公報
【発明の概要】
【発明が解決しようとする課題】
【０００８】
しかしながら、上述したバスバ２０５を有する電気接続箱２１０においては、以下に示す問題があった。すなわち、バスバ２０５は、上面側接続部２５１、連結部２５７、複数の部品接続部２５６を一体に有しており、形状が非常に複雑であったことから、バスバ２０５自体の製造が容易ではない上に、電気接続箱２１０の組立作業を煩雑にしてしまうという問題があった。また、この問題を解消するためにバスバ２０５を複数に分割した場合は、分割されたバスバ同士を電気接続するためにコネクタやボルト・ナットなどが必要になり、新たな作業工程や余分なスペースが必要になってしまうという問題があった。
【０００９】
さらに、上述したバスバ２０５には、溶断部を有するヒューズ・ヒュージブルリンクを介して他のバスバが電気接続されることがあるが、これらの連結箇所にはボルト及びナットが用いられていたので、ボルト及びナットの締結作業が煩雑であるという問題、また、ボルト及びナットを用いることにより電気接続箱２１０が大型化してしまうといった問題があった。
【００１０】
したがって、本発明は、バスバ同士を少ないスペースにおいて容易に電気接続することができ、容易に組み立てることができる電気接続箱を提供することを目的とする。
【課題を解決するための手段】
【００１１】
上記目的を達成するために請求項１に記載された発明は、金属板で構成されたバスバを複数有し、該複数のバスバが互いに電気接続された電気接続箱において、少なくとも１つのバスバには、他の一のバスバに弾性接触するバネ部が設けられていることを特徴とする電気接続箱である。
【００１２】
請求項２に記載された発明は、請求項１に記載された発明において、樹脂ブロックの上面からボルトの軸部が突出したボルトブロックをさらに有し、前記複数のバスバとして、前記ボルトブロックに取り付けられた第１のバスバを有し、前記第１のバスバが、前記樹脂ブロックの上面に位置付けられ、前記ボルトとナットによって外部端子と共締めされる上面側接続部と、前記樹脂ブロックの一側面に位置付けられる側面側接続部と、を有していることを特徴とするものである。
【００１３】
請求項３に記載された発明は、請求項２に記載された発明において、前記複数のバスバとして、前記ボルトブロックに取り付けられるとともに前記樹脂ブロックの他側面に位置付けられかつ前記第１のバスバに電気接続された第２のバスバと、該第２のバスバに電気接続される第３のバスバをさらに有し、前記第１のバスバと前記第２のバスバが、過電流が流れた際に溶断する溶断部を介して電気接続されており、前記第３のバスバが、前記第２のバスバに弾性接触する前記バネ部を有していることを特徴とするものである。
【００１４】
請求項４に記載された発明は、請求項３に記載された発明において、前記複数のバスバとして、前記第１のバスバに電気接続される第４のバスバをさらに有し、該第４のバスバが、前記側面側接続部に弾性接触する前記バネ部を有し、前記第１のバスバ及び前記第２のバスバが取り付けられた前記ボルトブロックが、前記第３のバスバの前記バネ部と前記第４のバスバの前記バネ部との間に挟持されることを特徴とするものである。
【００１５】
請求項５に記載された発明は、請求項４に記載された発明において、前記ボルトブロックを収容可能な凹部が設けられたフレームをさらに有し、前記第３のバスバの前記バネ部と前記第４のバスバの前記バネ部とが前記凹部の内側面に沿っていることを特徴とするものである。
【発明の効果】
【００１６】
請求項１，２に記載された発明によれば、少なくとも１つのバスバには、他の一のバスバに弾性接触するバネ部が設けられているので、当該バスバ同士を重ねるだけで電気接続することができる。よって、バスバ同士を少ないスペースにおいて容易に電気接続することができ、容易に組み立てることができる電気接続箱を提供することができる。
【００１７】
請求項３に記載された発明によれば、バスバ間に溶断部が組み込まれた回路であっても、ボルト・ナット等の他部品を用いることなく、バスバ同士を少ないスペースにおいて容易に電気接続することができ、容易に組み立てることができる電気接続箱を提供することができる。
【００１８】
請求項４に記載された発明によれば、第３のバスバのバネ部と第４のバスバのバネ部との間にボルトブロックを嵌め込むだけで第１〜第４のバスバを電気接続することができ、容易に組み立てることができる電気接続箱を提供することができる。
【００１９】
請求項５に記載された発明によれば、フレームの凹部にボルトブロックを嵌め込むだけで第１〜第４のバスバを電気接続することができ、容易に組み立てることができる電気接続箱を提供することができる。
【図面の簡単な説明】
【００２０】
【図１】本発明の一実施形態にかかる電気接続箱の斜視図である。
【図２】図１に示された電気接続箱の平面図である。
【図３】図２中のＡ−Ａ線に沿った断面図である。
【図４】図１に示された電気接続箱の分解図である。
【図５】図４中のＢ−Ｂ線に沿った断面図である。
【図６】図４に示されたバスバの拡大図である。
【図７】図４に示されたボルトブロックの拡大図である。
【図８】図７中のＣ−Ｃ線に沿った断面図である。
【図９】従来の電気接続箱の分解図である。
【発明を実施するための形態】
【００２１】
本発明の一実施形態にかかる「電気接続箱」を図１〜８を参照して説明する。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００２２】
図１〜５に示すように、上記電気接続箱１０は、第１のバスバ１と、第２のバスバ２と、第３のバスバ３と、第４のバスバ４と、ボルトブロック８と、フレーム９と、を有している。４つのバスバ１〜４は、金属板にプレス加工等が施されて得られる配線部材である。
【００２３】
上記ボルトブロック８は、図７，８に示すように、合成樹脂により立方体状に形成された樹脂ブロック６と、頭部７１及び軸部７２を有するボルト７と、を有している。ボルト７は、頭部７１が樹脂ブロック６に固定されており、軸部７２が樹脂ブロック６の上面から突出している。また、樹脂ブロック６には、フレーム９の後述する凹部９１内に設けられた係止凹部９６（図５を参照。）に係止する係止突起（不図示）が設けられている。
【００２４】
上記フレーム９は、合成樹脂で構成されている。フレーム９には、上記ボルトブロック８を収容可能な凹部９１と、リレー、ヒューズ、ヒュージブルリンク等の電子部品の端子が収容される複数のキャビティ９２，９３，９４が設けられている。前記凹部９１は、フレーム９の上面９ａから下面９ｂ側に凹に形成されている。また、図５中の符号９１ａは、凹部９１の底面であり、符号９１ｂ，９１ｃ，９１ｄは、凹部９１の内側面である。内側面９１ｂと内側面９１ｃは対向している。この他、凹部９１は、内側面９１ｄに対向する図示しない内側面を有している。また、内側面９１ｄには、上記係止凹部９６が設けられている。
【００２５】
また、図４に示すように、複数のキャビティ９２は、２列に配列されており、凹部９１に隣接配置されている。キャビティ９２を構成する外壁は、凹部９１の内側面９１ｄと面一に形成されている。これらキャビティ９２を構成する外壁と内側面９１ｄには、第３のバスバ３及び第４のバスバ４がそれぞれ通される一対のスリット９５が形成されている。
【００２６】
上記第１のバスバ１は、図７，８に示すように、樹脂ブロック６の上面に位置付けられる上面側接続部１１と、樹脂ブロック６の一側面に位置付けられる側面側接続部１３と、を一体に有している。上面側接続部１１には、ボルト７の軸部７２が通される貫通孔１２が形成されている。この上面側接続部１１は、ボルト７と該ボルト７の軸部７２に螺合されるナットによって外部端子と共締めされる。外部端子とは、例えば、電源ケーブルの端末に接続された丸端子などである。
【００２７】
上記第２のバスバ２は、図７，８に示すように、樹脂ブロック６の他側面に位置付けられる。また、第２のバスバ２は、第１のバスバ１の側面側接続部１３と対向する。
【００２８】
上記第１のバスバ１と上記第２のバスバ２は、過電流が流れた際に溶断する溶断部５を介して電気接続されている。これら第１のバスバ１及び第２のバスバ２は、溶断部５によって互いに電気接続された状態で、樹脂ブロック６に被せられることによりボルトブロック８に取り付けられる。
【００２９】
上記第３のバスバ３は、図６に示すように、平板部３０と、平板部３０の上端において折り返され、板バネ状に形成されたバネ部３１と、平板部３０から延長され、帯状に延びた帯状部３２と、帯状部３２の上端から延びた複数の部品接続部３３と、帯状部３２に貫通形成された係止孔３４と、を一体に有している。図３に示すように、平板部３０及びバネ部３１は、フレーム９の凹部９１内に位置付けられるとともに、凹部９１の内側面９１ｂに沿う。また、バネ部３１は、ボルトブロック８に取り付けられた第２のバスバ２に弾性接触することにより、該第２のバスバ２に電気接続される。帯状部３２及び複数の部品接続部３３は、複数のキャビティ９２内に位置付けられる。また、各部品接続部３３は、各キャビティ９２内に収容される電子部品の端子と電気接続される。また、第３のバスバ３は、キャビティ９２内に設けられたロックが係止孔３４に係止することにより、フレーム９に組み付けられる。
【００３０】
上記第４のバスバ４は、図６に示すように、平板部４０と、平板部４０の上端において折り返され、板バネ状に形成されたバネ部４１と、平板部４０から延長され、帯状に延びた帯状部４２と、帯状部４２の上端から延びた複数の部品接続部４３と、帯状部４２に貫通形成された係止孔４４と、を一体に有している。図３に示すように、平板部４０及びバネ部４１は、フレーム９の凹部９１内に位置付けられるとともに、凹部９１の内側面９１ｃに沿う。また、バネ部４１は、ボルトブロック８に取り付けられた第１のバスバ１の側面側接続部１３に弾性接触することにより、該第１のバスバ１に電気接続される。帯状部４２及び複数の部品接続部４３は、複数のキャビティ９２内に位置付けられる。また、各部品接続部４３は、各キャビティ９２内に収容される電子部品の端子と電気接続される。また、第４のバスバ４は、キャビティ９２内に設けられたロックが係止孔４４に係止することにより、フレーム９に組み付けられる。
【００３１】
続いて、電気接続箱１０の組み立て方法を説明する。まず、第１のバスバ１及び第２のバスバ２に溶断部５を取り付けて第１のバスバ１と第２のバスバ２を連結し、これをボルトブロック８に取り付ける。また、第３のバスバ３及び第４のバスバ４を上面９ａ側からフレーム９に組み付ける。
【００３２】
そして、第１のバスバ１及び第２のバスバ２が取り付けられたボルトブロック８を、上面９ａ側から凹部９１内に挿入するとともに、第３のバスバ３のバネ部３１と第４のバスバ４のバネ部４１との間に押し込む。押し込まれたボルトブロック８は、バネ部３１，４１間に挟持されるとともに、樹脂ブロック６に設けられた係止突起が凹部９１内の係止凹部９６に係止することにより凹部９１内に取り付けられる。このようにしてボルトブロック８が凹部９１内に取り付けられることにより、第１のバスバ１、第２のバスバ２、第３のバスバ３、第４のバスバ４及び溶断部５が互いに電気接続される。
【００３３】
また、ボルトブロック８を凹部９１内に取り付ける作業の前後または同時に、複数の電子部品を各キャビティ９２，９３，９４に装着する。
【００３４】
そして、ボルトブロック８を凹部９１内に取り付けた後に、電源ケーブル等に接続された外部端子を第１のバスバ１の上面側接続部１１に重ね、ボルト７にナットを螺合させることにより、外部端子と上面側接続部１１とを共締めしてこれらを電気接続する。このような作業を経て電気接続箱１０が組立てられる。
【００３５】
上述した電気接続箱１０においては、外部端子を介して第１のバスバ１に入力された電源が、第３のバスバ３と第４のバスバ４に分配され、さらに、各バスバ３，４によってキャビティ９２に装着された各電子部品に分配される。また、第１のバスバ１から第２のバスバ２及び第３のバスバ３側に過電流が流れた際は、溶断部５が溶断して電源供給が遮断される。
【００３６】
このように本発明によれば、ボルトブロック８に第１のバスバ１、第２のバスバ２及び溶断部５を一体化しているので、電気接続箱１０を省スペース化することができる。さらに、第１のバスバ１と第２のバスバ２を溶断部５によって互いに電気接続し、かつ、第３のバスバ３及び第４のバスバ４にバネ部３１，４１を設けているので、ボルト・ナット等の他部品を用いることなく、バスバ１〜４同士を少ないスペースにおいて容易に電気接続することができる。
【００３７】
また、第１のバスバ１と第４のバスバ４の接続、及び、第２のバスバ２と第３のバスバ３の接続を樹脂ブロック６の側面において行うようにしているので、ボルトブロック８のフレーム９への着脱を容易に行うことができる。さらに、ボルトブロック８は、フレーム９の上面９ａ側から凹部９１に嵌め込まれる構造であるので、ボルトブロック８のフレーム９への着脱をさらに容易に行うことができる。また、凹部９１には底面９１ａが設けられているので、ボルト７にナットを螺合させる際の締め付けトルクが過剰に掛かった場合でも、ボルトブロック８が下に脱落することがない。
【００３８】
また、溶断部５によって連結された第１のバスバ１及び第２のバスバ２は、ボルトブロック８に容易に着脱できるので、溶断部５が溶断した際は、ボルトブロック８を再利用することができる。
【００３９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４０】
１  第１のバスバ
２  第２のバスバ
３  第３のバスバ
４  第４のバスバ
５  溶断部
６  樹脂ブロック
７  ボルト
８  ボルトブロック
９  フレーム
１０  電気接続箱
３１，４１  バネ部
【図１】
2013255347.tif 000003
【図２】
2013255347.tif 000004
【図３】
2013255347.tif 000005
【図４】
2013255347.tif 000006
【図５】
2013255347.tif 000007
【図６】
2013255347.tif 000008
【図７】
2013255347.tif 000009
【図８】
2013255347.tif 000010
【図９】
2013255347.tif 000011